(57)【要約】【課題】大人が使用しても壊れない程度の強度を確保しつつ、災害の際等においても、手早く容易に組立可能な段ボール製の椅子を提供すること。【解決手段】脚部分Ｚが、座面部分Ｘ及び背凭れ部分Ｙを支える一体的な井桁構造体１００からなり、井桁構造体１００を外面部材６０で覆うことにより座面部分Ｘと背凭れ部分Ｙが形成される段ボール製組立式椅子において、荷重のかかる部分を一体的な井桁構造体にすることにより必要な強度を確保することができ、同一形状部品の使用と、井桁構造体が簡単な構造で且つ押潰せることにより、短時間で容易に組立てられるようにした。【選択図】図１
2009005815.tif 000002
【特許請求の範囲】
【請求項１】
座面部分と背凭れ部分と脚部分とからなる段ボール製組立式椅子において、
前記脚部分が前記座面部分及び背凭れ部分を支える一体的な井桁構造体からなり、
前記井桁構造体を外面部材で覆うことにより前記座面部分と背凭れ部分が形成されることを特徴とする、
段ボール製組立式椅子。
【請求項２】
前記座面部分を形成する外面部材と背凭れ部分を形成する外面部材の連結部に、前記井桁構造体に噛合わされる、折畳みによる弾性反発力を利用したロック部材を挿入したことを特徴とする、請求項１の段ボール製組立式椅子。
【請求項３】
前記座面部分を形成する外面部材と背凭れ部分を形成する外面部材が同一形状のものである、請求項２の段ボール製組立式椅子。
【請求項４】
前記井桁構造体の底部に底板部材を設けた、請求項１から３のいずれかの段ボール製組立式椅子。
【請求項５】
前記井桁構造体の腰部分から膝部分へ上方に向かって傾斜を設けた、請求項１から４のいずれかの段ボール製組立式椅子。
【発明の詳細な説明】
【技術分野】
【０００１】
本発明は、段ボール製組立式椅子に関する。
【背景技術】
【０００２】
大規模地震のような災害時において、体育館等で避難生活を強いられる場合には、椅子がないために、直接、床に座り込んだまま生活をする等、不便を強いられることが多い。体の弱い高齢者や子どもは当然のことながら、季節によっては健康な人にとっても、固い床に座らされることは酷であることが多い。
しかし、自宅等で使用している椅子を持込むには力が要ることから、高齢者や、被災者の多い地域では、特に、全員分の椅子を確保するのは難しい。
また、災害の援助等で寄付されたり持込まれたりするパイプ椅子やキャンプ用の椅子は、避難生活後は不要になるため、粗大ごみとして扱われ、廃棄に際して、環境問題を惹き起す。
【０００３】
そこで、段ボール製の椅子が便利であるが、特許文献１のような従来の板紙等を利用した椅子は、組立が容易であったとしても、安定感がなく、壊れやすいという欠点があった。
また、すぐに廃棄されることが前提であるためデザインや座り心地を余り追求しない等の問題があった。
【特許文献１】特開２００１‐１９０３５４号公報
【０００４】
逆に、家具として日常使用するために、強度・デザイン・機能性を重視した特許文献２の椅子や特許文献３のソファーがあるが、これらは複雑な構造のものが多く、組立に比較的時間がかかる上、部品点数も多くなるためにコスト高になりやすい等の問題があった。
【特許文献２】特願２００６‐１５２１６３
【特許文献３】特願２００６‐１５２１８８
【発明の開示】
【発明が解決しようとする課題】
【０００５】
そこで、本発明は、大人が使用しても壊れない程度の強度を確保しつつ、災害の際等においても、手早く容易に組立可能な段ボール製の椅子を提供することを目的とする。
【課題を解決するための手段】
【０００６】
本発明は、座面部分と背凭れ部分と脚部分とからなる段ボール製組立式椅子において、
前記脚部分が前記座面部分及び背凭れ部分を支える一体的な井桁構造体からなり、
前記井桁構造体を外面部材で覆うことにより前記座面部分と背凭れ部分が形成されることを特徴とする段ボール製組立式椅子によって、前記課題を解決した。
【発明の効果】
【０００７】
本発明の段ボール製組立式椅子は、比較的簡単な構造であるため、初めて組立てる人でも、容易に、且つ、比較的短時間で組立てることができる。また、井桁構造体が押潰せることにより、工場で井桁部分を組立てた後、平たくして搬送することができることから、嵩張らない利点があり、現地では、元の形に復元して、比較的短時間のうちに容易に組立てることができる効果がある。
また、荷重のかかる部分を一体的な井桁構造にすることにより、力を分散させて支えるため、強度も保証される。
加えて、各部材の固定のために、金属やプラスチックを一切使用しないことから、環境にやさしく、不要になった場合には、そのまま、廃棄可能である。
【０００８】
また、座面部分と背凭れ部分を形成する２つの外面部材の連結部に、ロック部材を使用することにより、その弾性で、両者を確実に固定できる上、使用後の分解も、容易になる。また、このロック部材により、井桁構造の強度が増す効果もある。
【発明を実施するための最良の形態】
【０００９】
以下、本発明の実施形態ついて説明する。但し、本発明はこれらの実施形態に限定されるものではない。
【００１０】
本発明の実施形態では、脚部分が座面部分及び背凭れ部分を支える一体的な井桁構造体からなり、その井桁構造体を覆う外面部材として、座面部材・背凭れ部材（及び必要に応じて底板部材）を具え、ロック部材により、座面部材と背凭れ部材が外れないようにしている。
また、各部材は、接着剤による接着、差込片の差込孔への挿入、又は切込部同士の噛合わせのいずれかの方法により、相互に固定される。
【００１１】
図１は本発明の実施形態の斜視図、図２はこの実施形態の内部にある井桁構造体１００の斜視図、図３及至図９は各部材の展開図である。
なお、図示しているものは説明の都合上、各部材１組ずつであるが、井桁部材Ｄは３組、座面部材・背凭れ部材は、同一形状のものが各１枚、使用される。
【００１２】
まず、複数の井桁部材を筒状にして組合せて井桁構造体１００を作る。
井桁部材Ａ（１０）を、それぞれ、折線１７及び１８で山折にし、面１０ａと面１０ｂが向かい合うようにする。そして、二枚の井桁部材Ａの切込部を上にした状態で組合せ、切込部１３ａと１４ａが重ならないように面１０ａ同士の端部が一部重なるようにして接着する。同様に、切込部１３ｂと１４ｂが重ならないように面１０ｂ同士の端部が一部重なるようにして接着する。これにより、井桁部材Ａを筒状にする。
同じようにして、井桁部材Ｂ（２０）及び井桁部材Ｃ（３０）も筒状にする。
【００１３】
井桁部材Ｄ（４０）も筒状にする点では同じであるが、本実施形態では、他の井桁部材と異なる位置で接着している。一組の井桁部材Ｄ（４０）をそれぞれ折線４７及び４８で谷折にし、切込部を下にした状態で面４０ａ、面４０ｂがそれぞれぴったり重なるように接着することにより、筒状にする。本実施形態では、筒状にした井桁部材Ｄを合計３組使用する。
【００１４】
次に、筒状にした井桁部材Ａ及至Ｃを、面１０ａと２０ａと３０ａが正面を向き、面１０ｂと２０ａ、２０ｂと３０ａが向かい合うように並列に並べ、切込部１１ａ・１１ｂ・２１ａ・２１ｂ・３１ａ・３１ｂが一直線に並ぶように配置する。そして、筒状井桁部材Ｄの切込部４１を切込部１１ａ及び１２ａに、切込部４２を切込部１１ｂ及び１２ｂに、切込部４３を切込部２１ａ及び２２ａに、切込部４４を切込部２１ｂ及び２２ｂに、切込部４５を切込部３１ａ及び３２ａに、切込部４６を切込部３１ｂ及び３２ｂに噛合わせる。
２つ目の筒状井桁部材Ｄについても同様に、切込部４１を切込部１３ａ及び１４ａに、切込部４２を切込部１３ｂ及び１４ｂに、切込部４３を切込部２３ａ及び２４ａに、切込部４４を切込部２３ｂ及び２４ｂに、切込部４５を切込部３３ａ及び３４ａに、切込部４６を切込部３３ｂ及び３４ｂに噛合わせる。
残りの筒状井桁部材Ｄについても、同じように噛合わせる。
これにより、図２の井桁構造体１００が完成する。この井桁構造体１００は、脚部分Ｚが座面部分Ｘ及び背凭れ部分Ｙを支える一体的な井桁構造体である。
なお、この井桁構造体１００は、斜めに押し潰すと扁平な形状となるので、保管・運搬に場所を取らず、現場で元の形状に戻せばよいので、災害の発生時には迅速に対応することが可能となる。
【００１５】
なお、本実施形態の井桁構造体１００は、座り心地を良くするために腰部分から膝部分にかけて上方に向かって傾斜が設けられており、井桁部材Ｂより膝部分に近いＡの方が高くなるようにしてあるが、大量生産の必要が生じる場合には、井桁部材Ｃの腰から膝部分への傾斜をなくすことにより、井桁部材ＡとＢの形状を同一にでき、この変更は、必要に応じて対応することができる。
【００１６】
以下では、外面部材の取付を説明する。
まず、図７の外面部材Ｅ（６０）を折線で、一枚は全て谷折、もう一枚は全て山折にし、それぞれの側面の突起部分７６を折返した側の面７５と接着する。
山折にした外面部分Ｅ（座面部材）の面６８の切込部６１及至６６を井桁部材Ｄの切込部５０に挿入し、面７５が座面になるように膝側へ倒す。そして、面７３の突起部分７４を井桁部材Ｄの差込孔４９ｃに挿入する。
このようにして、座面部分Ｘが形成される。
【００１７】
同様に、谷折にした外面部材Ｅ（背凭れ部材）の面６８の切込部６１及至６６をすでに座面部材が挿入されている井桁部材Ｄの切込部５０に噛合わせ、面７５が背凭れになるように背中側へ倒す。そして、面７３の突起部分７４を井桁部材Ｄの差込孔４９ｄに挿入する。
このようにして、背凭れ部分Ｙが形成される。
【００１８】
次に、図８のロック部材（８０）を折線で山折にし、切込部８１及至８６を、座面部材（外面部材Ｅ）と背凭れ部材（外面部材Ｅ）の連結部で、井桁部材Ｄの切込部５０に噛合わせるように挿入する。
これにより、折畳まれたロック部材（８０）の弾性反発力で、座面部材と背凭れ部材が井桁部材Ｄの切込部５０から抜けにくくなり、座面部材と背凭れ部材が、確実に、固定される。
【００１９】
最後に、図９の底板部材（９０）を折線で谷折にし、面９５を井桁構造体の底部と接する状態で、面９１の突起部分９２を井桁部材Ｄの差込孔４９ａに挿入し、突起部分９２’も同様に差込孔４９’に挿入する。また、面９３の突起部分９４を井桁部材Ａの差込孔１９ｂ、井桁部材Ｂの差込孔２９ａ及び２９ｂ、井桁部材Ｃの差込孔３９ａに挿入し、突起部分９４’についても同様にする。
この底板部材（９０）により、正面・側面・背面が固定されるため、井桁構造体１００が歪まないように強化される。加えて、井桁構造体１００が、直接、床に触れて損傷する、又は床を傷付けるのを防ぐことができる。
上記のようにして、本実施形態の段ボール製組立式椅子が完成する（図１）。
【００２０】
以上の通り、本発明の段ボール製組立式椅子は、一体的な井桁構造体（及び必要に応じてロック部材）を設けることで必要な強度を確保し、さらに、シンプルな構造にして部品点数を極力抑えることで、短時間の組立を容易にした段ボール製組立式椅子を提供することを可能にした。
なお、各部材の数等詳細な点については図示及び上記で説明したものに限定されないことは言うまでもない。
【図面の簡単な説明】
【００２１】
【図１】本発明の実施形態の斜視図。
【図２】本発明の実施形態の内部にある井桁構造体の斜視図。
【図３】本発明の実施形態の井桁部材Ａの展開図。
【図４】本発明の実施形態の井桁部材Ｂの展開図。
【図５】本発明の実施形態の井桁部材Ｃの展開図。
【図６】本発明の実施形態の井桁部材Ｄの展開図。
【図７】本発明の実施形態の外面部材の展開図。
【図８】本発明の実施形態のロック部材の展開図。
【図９】本発明の実施形態の底板部材の展開図。
【符号の説明】
【００２２】
１０：井桁部材Ａ（井桁構造体）
２０：井桁部材Ｂ（井桁構造体）
３０：井桁部材Ｃ（井桁構造体）
４０：井桁部材Ｄ（井桁構造体）
６０：外面部材Ｅ
８０：ロック部材
９０：底板部材
１００：井桁構造体
Ｘ：座面部分
Ｙ：背凭れ部分
Ｚ：脚部分
【図１】
2009005815.tif 000003
【図２】
2009005815.tif 000004
【図３】
2009005815.tif 000005
【図４】
2009005815.tif 000006
【図５】
2009005815.tif 000007
【図６】
2009005815.tif 000008
【図７】
2009005815.tif 000009
【図８】
2009005815.tif 000010
【図９】
2009005815.tif 000011